(57)【要約】【構成】一のユニット棚の外壁面にフック連結手段を設置するとともに隣接する他のユニット棚の外壁面に係止杆を設置し、フック連結手段を係止杆に掛け止めすることによって一のユニット棚を他のユニット棚に連結固定するもので、フック連結手段は、フック板が第一弾性手段に抗して係止杆に掛け止めされた際にフック板が第二弾性手段の弾性力によって係止孔に侵入するユニット棚用連結装置。【効果】フック板の掛け止め状態をワンタッチで解除することができ、操作に手間がかからず、ユニット棚の連結解除の作業能率を向上させる。【選択図】          図２
2004174121.tif 000002
【特許請求の範囲】
【請求項１】
一のユニット棚の外壁面にフック連結手段を設置するとともに隣接する他のユニット棚の外壁面に係止杆を設置し、前記フック連結手段を前記係止杆に掛け止めすることによって前記一のユニット棚を前記他のユニット棚に連結固定するユニット棚用連結装置において、前記フック連結手段は、前記一のユニット棚の外壁面に設置された基板と、この基板に回転可能に立設された回転軸と、この回転軸に軸止され水平方向に揺動して前記係止杆に掛け止め可能なフック板と、このフック板を前記係止杆から解除した状態を付勢する第一弾性手段と、前記フック板に形成された係止孔と、前記基板に垂直方向に揺動して前記フック板の係止孔に出入可能なロック板と、このロック板を前記係止孔に侵入した状態を付勢する第二弾性手段とを備え、前記フック板が前記第一弾性手段に抗して前記係止杆に掛け止めされた際に前記フック板が前記第二弾性手段の弾性力によって前記係止孔に侵入することを特徴とするユニット棚用連結装置。
【請求項２】
請求項１のユニット棚用連結装置において、前記ロック板における前記フック板の接近側端縁に傾斜部を形成したことを特徴とするユニット棚用連結装置。
【請求項３】
請求項１のユニット棚用連結装置において、前記ロック板における前記フック板の解除側端縁に傾斜部を形成したことを特徴とするユニット棚用連結装置。
【請求項４】
請求項１のユニット棚用連結装置において、前記フック板の両端部において掛け止め可能としたことを特徴とするユニット棚用連結装置。
【発明の詳細な説明】
【０００１】
【産業上の利用分野】
この発明はユニット棚用連結装置に関し、ユニット棚の外壁面に設置され、隣り合うユニット棚を連結固定する場合に使用される。
【０００２】
【従来の技術】
従来におけるユニット棚用連結装置においては、フック連結手段として、一の家具の外壁面にフック板を回転軸によって揺動可能に設置し、この回転軸を操作することによって前記フック板を隣接する他のユニット棚の係止杆に掛け止めして隣り合うユニット棚を連結固定していた。
【０００３】
【特許文献１】
【０００４】
【発明が解決しようとする課題】
しかしながら、かかる従来のユニット棚用連結装置にあっては、フック板を隣接ユニット棚の係止片に引っ掛けて固定していた為、振動（地震等）により、連結が外れていまい積み重ねてあるユニット棚が崩れやすく、その上、フック板の揺動を回転軸の操作によって行っていたため、フック板を係止杆から解除する場合にも回転軸を操作しなければならず、操作に手間がかかる結果、ユニット棚の連結の解除の作業能率を向上させにくく、ひいては、ユニット棚の使用価値を向上させにくいという不都合を有した。
【０００５】
この発明の課題はこれらの不都合を解消することである。
【０００６】
【課題を解決するための手段】
上記課題を達成するために、この発明に係るユニット棚用連結装置においては、一のユニット棚の外壁面にフック連結手段を設置するとともに隣接する他のユニット棚の外壁面に係止杆を設置し、前記フック連結手段を前記係止杆に掛け止めすることによって前記一のユニット棚を前記他のユニット棚に連結固定するユニット棚用連結装置において、前記フック連結手段は、前記一のユニット棚の外壁面に設置された基板と、この基板に回転可能に立設された回転軸と、この回転軸に軸止され水平方向に揺動して前記係止杆に掛け止め可能なフック板と、このフック板を前記係止杆から解除した状態を付勢する第一弾性手段と、前記フック板に形成された係止孔と、前記基板に垂直方向に揺動して前記フック板の係止孔に出入可能なロック板と、このロック板を前記係止孔に侵入した状態を付勢する第二弾性手段とを備え、前記フック板が前記第一弾性手段に抗して前記係止杆に掛け止めされた際に前記フック板が前記第二弾性手段の弾性力によって前記係止孔に侵入するように構成されているため、
【０００７】
一のユニット棚の回転軸を第一弾性手段に抗して回転させ前記フック板を他のユニット棚の係止杆に掛け止め状態にすれば、前記ロック板がフック板の係止孔に第二弾性手段によって弾性的に侵入するため、前記フック板の掛け止め状態はロックされる。そして、ロック板を前記フック板の係止孔から前記第二弾性手段に抗して押し出せば、フック板は前記第一弾性手段によって係止杆からの掛け止めは解除された状態となる。
【０００８】
なお、前記ロック板における前記フック板の接近側端縁に傾斜部を形成すればフック板の揺動によってこの傾斜面を圧接し、一旦ロック板を解除の状態にしてフック板を通過させ、係止孔に侵入させることができる。
【０００９】
また、前記ロック板における前記フック板の解除側端縁に傾斜部を形成すれば、前記ロック板の前記係止孔からの解除を徐々にできる。
【００１０】
また、前記フック板の両端部において掛け止め可能とすれば、一のユニット棚において、他のユニット棚の隣接位置の自由度を広げることができる。
【００１１】
【実施例】
図１はこの発明に係るユニット棚用連結装置の使用状態の斜視図、図２は同連結状態の斜視図、図３はユニット棚用連結装置の平面図、図４は図３におけるＩＶ矢視図、図５は図３におけるＶ−Ｖ  線断面図、図６は動連結装置の背面図、図７はユニット棚用連結装置においてフック板が突出状態の斜視図、図８はユニット棚用連結装置を背面から見た斜視図、図９は同フック板が突出状態の斜視図、図１０は同反対方向から見た斜視図である。
【００１２】
図１及び図２において、Ｕ，Ｕはユニット棚であり、適宜、隙間無く並設されたり、積み置ねられたりして使用される。このユニット棚Ｕには書籍等が収容される。
【００１３】
Ａは連結装置（この発明の「フック連結手段」に相当する）であり、前記ユニット棚Ｕの上面隅部にビス２１，２１  止めされ、反対隅部には係止杆Ｐが突設されている。前記ユニット棚Ｕ，Ｕを配置する場合には、一のユニット棚Ｕの連結装置Ａと他のユニット棚Ｕの係止杆Ｐとが隣り合うように位置決めされるようになっている（図１および図２を参照のこと）。
【００１４】
なお、図１に仮想線で示すように、前記ユニット棚Ｕの上面には箱状のカバー板Ｃが設置されている。このカバー板Ｃは前記連結装置Ａを覆っており、前記ユニット棚Ｕを積み重ねた際に連結装置Ａの突出状態をカバーして平面状態を確保するためのものである。なお、このカバー板Ｃには後記フック板４０が出入するための切り欠き９０，９０が形成されている。
【００１５】
図３〜１０に基づいて前記連結装置Ａを詳述する。
図４〜６及び図８〜１０において、１０は前記連結装置Ａの基板であり、前記ユニット棚Ｕの上面に接している部分である。この基板１０は略正方形状である。又、図３｀１０において、２０はカバー支持板であり、前記基板１０の上方に略平行状態で配置され、前記基板１０を押さえた状態で前記ユニット棚Ｕの上面にビス２１，２１  止めている。２２はスペーサ軸であり、前記基板１０と前記１１との間に介在して所定間隔を確保している。
【００１６】
１５は嵌挿孔であり、前記基板１０の隅部に形成されている（図５を参照のこと）。また、２３は支持孔であり、前記カバー支持板２０における前記支持孔１５の上方に設けられている（図５を参照のこと）。３０は回転軸であり、前記嵌挿孔１５に上方から回転可能に嵌挿されている。３１はこの回転軸２０の鍔部であり、前記軸孔１１からの抜け落ちを図っている。そして、この回転軸３０の上部は前記カバー支持板２０の支持孔２３に嵌挿している。
【００１７】
４０はフック板であり、前記回転軸３０に嵌挿された状態で前記鍔部３１にビス等によって固定されている（図６を参照のこと）。このため、フック板４０は回転軸３０の回動にしたがって回動する。また、図６に示すように、前記フック板４０は扇形状をしており、その要の部分に前記回転軸３０が位置し、円弧状の両端にフック部４１，４１，を有している。４３は係止孔であり、前記フック板４０に形成されている。この係止孔４３の機能は後記する。
【００１８】
３２は第一コイルバネ（この発明の「第一弾性手段」に相当する）であり、前記回転軸３０に下方から嵌挿されている。また、３３は軸受板であり、前記回転軸３０の下面にビス等によって固定され、前記第一コイルバネ３２の抜け落ちを図っている（図５を参照のこと）。３４，３５  は係止爪であり、前記軸受板３３の上面端縁に突設されている。この係止爪３４，３５には前記第一コイルバネ３２の両端が内側方向へ圧縮された状態でそれぞれ掛かっている。
【００１９】
次に、１６，１７  は掛け止め突起であり、前記基板１０に折り曲げ形成されている。この掛け止め突起１６，１７  は前記基板１０の裏面方向に突出している。この掛け止め突起１６，１７  にも前記第一コイルバネ３２の他端が係止されているが。そして、前記回転軸３０が図６において反時計回り（図８及び図９における矢印方向）を使用とすると、図８〜図１０に示すように、前記第一コイルバネ３２の一端は前記掛け止め突起１６に支持された状態で、その他端は前記軸受板２２の係止爪３４によって反時計方向に回転され、圧縮されることになる。なお、回転軸３０が時計回りする場合には逆状態で同様に作動する。
【００２０】
次に、図６〜図１０において、１８，１８  は取付板であり、前記基板１０の端縁部を折り曲げることにより形成されている。この取付板１８，１８  は略長方形状であり、下方向に突設している。
【００２１】
６０，６０  はロック板であり、前記取付板１８，１８  に支軸６１，６１  を介して揺動可能に設置されている。この支軸６１は前記ロック板６０に固定されており、ロック板６０とともに回動する。このロック板６０の先端側（反支軸６１側）の上端縁部は先端に向かうに下がる緩傾斜部（この発明の「傾斜部」に相当する）６４，６４  が形成されている（図１０を参照のこと）。即ち、この緩傾斜部６４は前記ロック板６０における前記フック板４０の接近側端縁に形成されている。この緩傾斜部６４の機能は後記する。
【００２２】
１９，１９  は嵌挿窓であり、前記取付板１８，１８  に形成されている（図８及び図９を参照のこと）。また、６２，６２  は係止バーであり、前記ロック板６０の上端縁に水平方向に向かって一体形成され、前記前記取付板１８の窓１９を貫通して、前記基板１０の裏面に接触している。
【００２３】
６３，６３  は第二コイルバネ（この発明の「第二弾性手段」に相当する）であり、前記支軸６１，６１  に外嵌めされ、その両端を前記基板１０の裏面に圧接している。この第二コイルバネ６３の弾性によって前記ロック板６０を上方に付勢している。なお、前記係止バー６２はこのロック板６０が必要以上に上方に揺動するのを防止している。
【００２４】
このように、前記ロック板６０は構成されているため、前記フック板４０が前記第一コイルバネ３２の弾性に抗して、例えば、反時計回り（図６において）させると、前記フック板４０の裏面が前記ロック板６０の緩傾斜部６４に接触し、このロック板６０を下方に押し下げる。そして、フック板４０のフック部４１が隣接するユニット棚Ｕの係止杆Ｐに掛け止めされたときに、前記フック板４０の係止孔４３に前記ロック板６０が達し、前記第二コイルバネ６３の弾性によって前記係止孔４３に嵌挿し、前記フック板４０のフック部４１が隣接するユニット棚Ｕの係止杆Ｐに掛け止めされた状態をロックする。このとき、前記ロック板６０の上端部は前記前記フック板４０の係止孔４３から突出している。
【００２５】
そして、このフック部４１を前記係止杆Ｐから解除する場合には、前記ロック板６０における前記係止孔４３からの突出部を前記第二コイルバネ６３の弾性に抗して押し下げれば、前記ロック板６０が前記係止孔４３から解除され、この結果、前記フック板４０は前記第一コイルバネ３２の弾性にって原状態に戻る。この場合、前記ロック板６０における前記緩傾斜部６４と反対側に急傾斜部（この発明の「傾斜部」に相当する）６５が形成され、前記フック板４０の係止孔４３からの解除を容易にしている。即ち、この急傾斜部６５は前記ロック板６０における前記フック板４０の解除側端縁に形成されている。
【００２６】
【発明の効果】
この発明に係るユニット棚用連結装置は、一のユニット棚の外壁面にフック連結手段を設置するとともに隣接する他のユニット棚の外壁面に係止杆を設置し、前記フック連結手段を前記係止杆に掛け止めすることによって前記一のユニット棚を前記他のユニット棚に連結固定するユニット棚用連結装置において、前記フック連結手段は、前記一のユニット棚の外壁面に設置された基板と、この基板に回転可能に立設された回転軸と、この回転軸に軸止され水平方向に揺動して前記係止杆に掛け止め可能なフック板と、このフック板を前記係止杆から解除した状態を付勢する第一弾性手段と、前記フック板に形成された係止孔と、前記基板に垂直方向に揺動して前記フック板の係止孔に出入可能なロック板と、このロック板を前記係止孔に侵入した状態を付勢する第二弾性手段とを備え、前記フック板が前記第一弾性手段に抗して前記係止杆に掛け止めされた際に前記フック板が前記第二弾性手段の弾性力によって前記係止孔に侵入するように構成されているため、
【００２７】
一のユニット棚の回転軸を第一弾性手段に抗して回転させ前記フック板を他のユニット棚の係止杆に掛け止め状態にすれば、前記ロック板がフック板の係止孔に第二弾性手段によって弾性的に侵入するため、前記フック板の掛け止め状態はロックされる。そして、ロック板を前記フック板の係止孔から前記第二弾性手段に抗して押し出せば、フック板は前記第一弾性手段によって係止杆からの掛け止めは解除された状態となる。
【００２８】
よって、このユニット棚用連結装置を使用すれば、振動（地震等）により連結が外れることなく安全であり、更に、フック板の掛け止め状態をワンタッチで解除することができるため、操作に手間がかからず、この結果、ユニット棚の連結解除の作業能率を向上させ、ひいては、ユニット棚の使用価値を向上させるものである。
【００２９】
なお、前記ロック板における前記フック板の接近側端縁に傾斜部を形成すればフック板の揺動によってこの傾斜面を圧接し、一旦ロック板を解除の状態にしてフック板を通過させ、係止孔に侵入させることができる。よって、ワンタッチでフック板の掛け止め状態をロックすることができる。
【００３０】
また、前記ロック板における前記フック板の解除側端縁に傾斜部を形成すれば、前記ロック板の前記係止孔からの解除を徐々にできる。よって、ワンタッチでフック板のロック状態を解除することができる。
【００３１】
また、前記フック板の両端部において掛け止め可能とすれば、一のユニット棚において、他のユニット棚の隣接位置の自由度を広げることができる。
【図面の簡単な説明】
【図１】図１はこの発明に係るユニット棚用連結装置の使用状態の斜視図である。
【図２】図２は同連結状態の斜視図である。
【図３】図３はユニット棚用連結装置の平面図である。
【図４】図４は図３におけるＩＶ矢視図である。
【図５】図５は図３におけるＶ−Ｖ  線断面図である。
【図６】図６は動連結装置の背面図である。
【図７】図７はユニット棚用連結装置においてフック板が突出状態の斜視図である。
【図８】図８はユニット棚用連結装置を背面から見た斜視図である。
【図９】図９は同フック板が突出状態の斜視図である。
【図１０】図１０は同反対方向から見た斜視図である。
【符号の説明】
Ｕ  …  ユニット棚
Ａ  …  ユニット用連結装置（フック連結手段）
Ｃ  …  係止杆
１０  …  基板
３０  …  回転軸
４０  …  フック板
４３  …  係止孔
３２  …  第一コイルバネ（第一弾性手段）
６０  …  ロック板
６３  …  第二コイルバネ（第二弾性手段）
６４  …  緩傾斜部（傾斜部）
６５  …  急傾斜部（傾斜部）
【図１】
2004174121.tif 000003
【図２】
2004174121.tif 000004
【図３】
2004174121.tif 000005
【図４】
2004174121.tif 000006
【図５】
2004174121.tif 000007
【図６】
2004174121.tif 000008
【図７】
2004174121.tif 000009
【図８】
2004174121.tif 000010
【図９】
2004174121.tif 000011
【図１０】
2004174121.tif 000012